(57)【要約】【課題】自動的に携帯通信端末の機能の制御を行うことができるとともに、所定の区域への入場可否を判断することができるようにする。【解決手段】所定の区域の出入口に設けられている入退場装置は、携帯通信端末から受信した所定の区域への入場を許可されていることを示す入場許可情報に基づいて、携帯通信端末が所定の区域に入場可能か否かを判断する入場可否判断手段と、入場可否判断手段が入場可能と判断した場合に、携帯通信端末を所定の区域に入場させるための制御を行う入退場制御手段とを含み、ＩＣタグを備えた携帯通信端末は、ＩＣタグが記憶する入場許可情報を入退場装置に送信する入場許可情報送信手段と、入場可否判断手段が入場可能と判断した場合に、ＩＣタグが記憶する情報であって所定の区域において起動または制限される機能を示す機能制御情報に基づいて、自身の機能を起動または制限する機能制御手段とを含む。【選択図】図１
2009267464.tif 000002
【特許請求の範囲】
【請求項１】
ＩＣタグを備えた携帯通信端末と、所定の区域の出入口に設けられている入退場装置とを備えた自動機能制御システムであって、
前記入退場装置は、
前記携帯通信端末が所定の区域に入場する際に、入場を許可されていることを示す入場許可情報を前記携帯通信端末から受信し、受信した入場許可情報に基づいて、前記携帯通信端末が所定の区域に入場可能か否かを判断する入場可否判断手段と、
前記入場可否判断手段が入場可能と判断した場合に、前記携帯通信端末を所定の区域に入場させるための制御を行う入退場制御手段とを含み、
前記携帯通信端末は、
前記ＩＣタグが記憶する入場許可情報を前記入退場装置に送信する入場許可情報送信手段と、
前記入場可否判断手段が入場可能と判断した場合に、前記ＩＣタグが記憶する情報であって所定の区域において起動または制限される機能を示す機能制御情報に基づいて、自身の機能を起動または制限する機能制御手段とを含む
ことを特徴とする自動機能制御システム。
【請求項２】
入退場装置は、携帯通信端末が所定の区域から退場する際に、退場することを示す退場記録情報を前記携帯通信端末に送信する退場記録送信手段を含み、
機能制御手段は、前記退場記録送信手段が送信した退場記録情報を受信したことに応じて、機能制御情報に基づいて自身の機能を起動または制限する
請求項１記載の自動機能制御システム。
【請求項３】
携帯通信端末に入場許可情報と機能制御情報とを送信する書き込み装置を備えた
請求項１または請求項２記載の自動機能制御システム。
【請求項４】
書き込み装置は、携帯通信端末と通信ネットワークを介して接続されたサーバ装置である
請求項３記載の自動機能制御システム。
【請求項５】
機能制限手段が制限した機能を一時的に解除する制限一時解除装置を備え、
前記制限一時解除装置は、一時的に制限を解除する機能を決定し、当該機能を示す制限一時解除情報を携帯通信端末に送信する制限解除機能決定手段を含み、
前記機能制限手段は、前記制限解除機能決定手段が送信した制限一時解除情報に基づいて、機能の制限を解除する
請求項１から請求項４のうちのいずれか１項に記載の自動機能制御システム。
【請求項６】
入退場装置が出入口に設けられている所定の区域において、ＩＣタグを備えた携帯通信端末の機能を制御する自動機能制御方法であって、
前記携帯通信端末が、所定の区域に入場する際に、前記ＩＣタグが記憶する情報であって所定の区域への入場を許可されていることを示す入場許可情報を前記入退場装置に送信する入場許可情報送信ステップと、
前記入退場装置が、前記携帯通信端末から入場許可情報を受信し、受信した入場許可情報に基づいて、前記携帯通信端末が所定の区域に入場可能か否かを判断する入場可否判断ステップと、
前記入退場装置が、前記入場可否判断ステップで入場可能と判断した場合に、前記携帯通信端末を所定の区域に入場させるための制御を行う入退場制御ステップと、
前記携帯通信端末が、前記入場可否判断ステップで入場可能と判断した場合に、前記ＩＣタグが記憶する情報であって所定の区域において起動または制限される機能を示す機能制御情報に基づいて、自身の機能を起動または制限する機能制御ステップと
を含むことを特徴とする自動機能制御方法。
【請求項７】
入退場装置が、携帯通信端末が所定の区域から退場する際に、退場することを示す退場記録情報を前記携帯通信端末に送信する退場記録送信ステップを含み、
機能制御ステップで、前記退場記録送信ステップで送信した退場記録情報を受信したことに応じて、機能制御情報に基づいて自身の機能を起動または制限する
請求項６記載の自動機能制御方法。
【請求項８】
入退場装置が出入口に設けられている所定の区域において、ＩＣタグを備えた携帯通信端末の機能を制御するための自動機能制御プログラムであって、
コンピュータに、
所定の区域に入場する際に、前記ＩＣタグが記憶する情報であって所定の区域への入場を許可されていることを示す入場許可情報を前記入退場装置に送信する入場許可情報送信処理と、
前記入退場装置が、受信した入場許可情報に基づいて前記携帯通信端末が所定の区域に入場可能と判断した場合に、前記ＩＣタグが記憶する情報であって所定の区域において起動または制限される機能を示す機能制御情報に基づいて、自身の機能を起動または制限する機能制御処理と
を実行させるための自動機能制御プログラム。
【請求項９】
コンピュータに、
機能制御処理で、携帯通信端末が所定の区域から退場する際に入退場装置が送信する情報であって、退場することを示す退場記録情報を受信したことに応じて、機能制御情報に基づいて自身の機能を起動または制限する処理を実行させるための
請求項８記載の自動機能制御プログラム。
【発明の詳細な説明】
【技術分野】
【０００１】
本発明は、携帯通信端末の機能を自動的に制限する自動機能制御システム、自動機能制御方法および自動機能制御プログラムに関する。
【背景技術】
【０００２】
携帯電話機は、誰でも何処にでも持ち運ぶことができ、基地局からの電波が届いていれば、場所や時間にとらわれることなく通信を行うことが出来る。また、近年では、携帯電話機に高機能なデジタルカメラが搭載されるようになり、写真撮影や動画撮影に加えて、動画撮影機能を利用した録音機能までも行えるようになってきている。
【０００３】
しかし、その一方で、機密情報を扱う現場にも、携帯電話機を手軽に持ち込むことが可能となってしまっている。そのため、携帯電話機を利用して機密情報を撮影したり録音したりすることにより、重要な情報が外部に流出してしまう恐れがある。
【０００４】
その対策として、あえてカメラを搭載しないカメラレス携帯電話機が販売されている。しかし、機密情報流出防止のためとはいえ、機密情報に携わる社員全員が日常的に持ち歩いている携帯電話機をカメラレス携帯電話機に買い替えるということは現実としては難しいことである。また、自社の社員ならともかく、社外の人など、不特定多数の人が訪れる可能性がある場所では、訪問者全員にカメラレス携帯電話機を使ってもらうことは困難である。
【０００５】
そこで、カメラ機能の付いた携帯電話機を持っている人には、入場の際に携帯電話機を一時的に預かり、持ち込みをお断りすることや、各自で携帯電話機の電源を切ってもらい、入場後は絶対に電源を入れないよう注意を促す必要がある。しかし、これらの方法では、機密情報を扱う現場に入る前に、警備員などの手により入場者１人１人の携帯電話機の設定を確認していかなければならず、チェックに余計な時間と手間がかかってしまう。また、電源を切ってもらうようにお願いしても、入場した後に、入場者が携帯電話機の電源を入れないという保証はないため、確実な方法ではない。
【０００６】
また、近年、メモリ付き集積回路を有する「ＩＣタグ」（一般に、「非接触ＩＣ」、「非接触ＩＣカード」、「非接触データキャリア」、「非接触ＩＣラベル」、「非接触ＩＣタグ」、「無線ＩＣタグ」、「ＲＦＩＤ」等と表現される場合もある。）が搭載された携帯通信端末の普及が進んでいる。以下、ＩＣタグをＲＦＩＤと表記する。
【０００７】
携帯端末に撮影機能や録音機能を制限するための制限手段が組み込まれているか否かを容易にチェックすることができる携帯端末の機能制限システムが提案されている（例えば、特許文献１参照）。特許文献１には、機密情報を扱う現場に入る際に、入場ゲートとＲＦＩＤを実装した携帯電話機との間で通信し、録画、録音機能や通信について制限をする制限機能が組み込まれているかを容易にチェックする方法が記載されている。制限する機能が存在しない、または、制限可能にも関わらず設定していない場合には、ゲートの扉を閉めたり、アラームを鳴らしたりといった入場禁止処理を行う。
【０００８】
また、カメラ撮影機能付き及び録音付きの携帯通信端末に対し、不正撮影や不正録音が禁止されている場所でのカメラ撮影機能や録音機能を制限できるようにして、著作権等の保護が図れるようにする携帯通信端末が提案されている（例えば、特許文献２参照）。特許文献２には、特定の範囲内に撮影機能や録音機能を制限させる信号を載せた電波を送信することにより、電波を受信している携帯通信端末の撮影機能や録音機能を制限することが記載されている。
【０００９】
また、特許文献３には、より簡単かつ確実に、携帯情報端末の機能を制限可能とする端末制御システムについて記載されている。特許文献３には、携帯電話機が、施設への入場時に機能の制限を開始し、退場時に機能の制限を解除することが記載されている。
【００１０】
【特許文献１】特開２００７−２６６８６４号公報
【特許文献２】特開２００５−１９１７７５号公報
【特許文献３】特開２００４−３４９９３５号公報
【発明の開示】
【発明が解決しようとする課題】
【００１１】
特許文献１に記載された方式であれば、機密情報を扱う現場の入場者１人１人の携帯電話機を確認する作業を機械が自動的に行うため、簡単かつ確実に携帯電話機のチェックを行うことができる。しかし、特許文献１に記載された方式では、携帯電話機の機能を制限させるための設定を、入場者が毎回個別に行わなければならず面倒である。また、機密情報を扱う現場を出た後に、制限した機能を自分で解除する必要がある。
【００１２】
特許文献２に記載された方式では、制限信号を含む電波が届かない範囲に抜ければ、機能の制限が自動的に解除される。しかし、電波の到達範囲によっては、機能が制限されなくてもよい場所にいたとしても機能が制限されてしまう可能性がある。また、制限信号を含む電波を常に待ち受けていなければならないため、携帯通信端末の消費電力が大きくなってしまうという問題がある。また、携帯通信端末に受信専用の受信機を搭載しなければならず、部品点数の増大やコスト増に繋がってしまう。
【００１３】
また、特許文献３に記載された方式では、施設への入場時に、携帯電話機の機能を制限することはできるが、入場の可否を判断することはできない。
【００１４】
そこで、本発明は、自動的に携帯通信端末の機能の制御を行うことができるとともに、所定の区域への入場可否を判断することができる自動機能制御システム、自動機能制御方法および自動機能制御プログラムを提供することを目的とする。
【課題を解決するための手段】
【００１５】
本発明による自動機能制御システムは、ＩＣタグを備えた携帯通信端末と、所定の区域の出入口に設けられている入退場装置とを備えた自動機能制御システムであって、入退場装置は、携帯通信端末が所定の区域に入場する際に、携帯通信端末から入場を許可されていることを示す入場許可情報を受信し、受信した入場許可情報に基づいて、携帯通信端末が所定の区域に入場可能か否かを判断する入場可否判断手段と、入場可否判断手段が入場可能と判断した場合に、携帯通信端末を所定の区域に入場させるための制御を行う入退場制御手段とを含み、携帯通信端末は、ＩＣタグが記憶する入場許可情報を入退場装置に送信する入場許可情報送信手段と、入場可否判断手段が入場可能と判断した場合に、ＩＣタグが記憶する情報であって所定の区域において起動または制限される機能を示す機能制御情報に基づいて、自身の機能を起動または制限する機能制御手段とを含むことを特徴とする。
【００１６】
本発明による自動機能制御方法は、入退場装置が出入口に設けられている所定の区域において、ＩＣタグを備えた携帯通信端末の機能を制御する自動機能制御方法であって、携帯通信端末が、所定の区域に入場する際に、ＩＣタグが記憶する情報であって所定の区域への入場を許可されていることを示す入場許可情報を入退場装置に送信する入場許可情報送信ステップと、入退場装置が、携帯通信端末から入場許可情報を受信し、受信した入場許可情報に基づいて、携帯通信端末が所定の区域に入場可能か否かを判断する入場可否判断ステップと、入退場装置が、入場可否判断ステップで入場可能と判断した場合に、携帯通信端末を所定の区域に入場させるための制御を行う入退場制御ステップと、携帯通信端末が、入場可否判断ステップで入場可能と判断した場合に、ＩＣタグが記憶する情報であって所定の区域において起動または制限される機能を示す機能制御情報に基づいて、自身の機能を起動または制限する機能制御ステップとを含むことを特徴とする。
【００１７】
本発明による自動機能制御プログラムは、入退場装置が出入口に設けられている所定の区域において、ＩＣタグを備えた携帯通信端末の機能を制御するための自動機能制御プログラムであって、コンピュータに、所定の区域に入場する際に、ＩＣタグが記憶する情報であって所定の区域への入場を許可されていることを示す入場許可情報を入退場装置に送信する入場許可情報送信処理と、入退場装置が、受信した入場許可情報に基づいて携帯通信端末が所定の区域に入場可能と判断した場合に、ＩＣタグが記憶する情報であって所定の区域において起動または制限される機能を示す機能制御情報に基づいて、自身の機能を起動または制限する機能制御処理とを実行させることを特徴とする。
【発明の効果】
【００１８】
本発明によれば、自動的に携帯通信端末の機能の制御を行うことができるとともに、所定の区域への入場可否を判断することができるという効果がある。
【発明を実施するための最良の形態】
【００１９】
まず、本発明の概要について図面を参照して説明する。図１は、本発明による自動機能制御システムの最小の構成例を示すブロック図である。図１に例示する自動機能制御システムは、ＩＣタグを備えた携帯通信端末２００と、所定の区域の出入口に設けられている入退場装置７００とを備える。
【００２０】
入退場装置７００は、入場可否判断手段７０１と、入退場制御手段７０２とを含む。
【００２１】
入場可否判断手段７０１は、携帯通信端末２００が所定の区域に入場する際に、入場を許可されていることを示す入場許可情報を携帯通信端末２００から受信し、受信した入場許可情報に基づいて、携帯通信端末２００が所定の区域に入場可能か否かを判断する。
【００２２】
入退場制御手段７０２は、入場可否判断手段７０１が入場可能と判断した場合に、携帯通信端末２００を所定の区域に入場させるための制御を行う。
【００２３】
携帯通信端末２００は、入場許可情報送信手段２１１と、機能制御手段２１２とを含む。
【００２４】
入場許可情報送信手段２１１は、ＩＣタグが記憶する入場許可情報を入退場装置７００に送信する。
【００２５】
機能制御手段２１２は、入場可否判断手段７０１が入場可能と判断した場合に、ＩＣタグが記憶する情報であって所定の区域において起動または制限される機能を示す機能制御情報に基づいて、自身の機能を起動または制限する。
【００２６】
図１に示すように構成すれば、自動的に携帯通信端末の機能の制御を行うことができるとともに、所定の区域への入場可否を判断することができる。
【００２７】
次に、本発明の実施形態を図面を参照して説明する。
【００２８】
図２は、携帯通信端末の機能を制限する所定の区域（制限区域１００）の例を示す説明図である。制限区域１００は、後述する携帯通信端末（携帯電話機）２００の機能を制限する所定の区域である。以下、携帯通信端末が携帯電話機である場合を例にして、本発明による自動機能制御システムにおける携帯電話機に搭載されているカメラの使用を特定の部屋で禁止（制限）する場合の実施形態を説明する。
【００２９】
制限区域１００は、例えば、機密情報が存在する部屋であって、携帯電話機２００に搭載されているカメラ機能が制限される区域である。なお、後述するように、制限区域１００は、携帯電話機２００の所定の機能が起動される区域であってもよい。
【００３０】
なお、本発明による自動機能制御システムに対応していない携帯電話機を所有している場合、別途ＲＦＩＤカード型の入場許可証を入手し、ゲートを管理している警備員等に、携帯電話機を持ち込んでも問題ないか、預けるべきかを相談する必要がある。同様に、携帯電話機を複数台所持している場合については、制限区域１００に持ち込める台数は１台のみと限定し、残りの携帯電話機を警備員等に預けるなどの対応が必要である。しかし、これらの状況については、本発明では問題としない。
【００３１】
図３は、携帯電話機２００の構成例を示すブロック図である。図３に示す携帯電話機２００は、ＲＦＩＤ用アンテナ２０１と、ＲＦＩＤ用無線回路２０２と、ＲＦＩＤ用ＣＰＵ２０３と、ＲＦＩＤ用メモリ２０４と、表示装置２０５と、携帯電話機用ＣＰＵ２０６と、携帯電話機用メモリ２０７と、携帯電話機用無線回路２０８と、携帯電話機用アンテナ２０９と、カメラ２１０とを備える。
【００３２】
ＲＦＩＤ用無線回路２０２は、ＲＦＩＤ用アンテナ２０１を介して受信した無線信号を復調する処理や、ＲＦＩＤ用ＣＰＵ２０３から出力された信号を変調してＲＦＩＤ用アンテナ２０１を介して送信するための信号に変調する処理を行う。
【００３３】
ＲＦＩＤ用ＣＰＵ２０３は、プログラムにしたがって動作し、ＲＦＩＤ用アンテナ２０１を介して受信した情報をＲＦＩＤ用メモリ２０４に記憶させる処理や、ＲＦＩＤ用メモリ２０４に記憶されている情報を読み出してＲＦＩＤ用アンテナ２０１を介して送信する処理などを実行する機能を有する。
【００３４】
ＲＦＩＤ用メモリ２０４は、各種の情報を記憶する。例えば、ＲＦＩＤ用メモリ２０４は、ＲＦＩＤ用アンテナ２０１を介して受信した情報として、後述する入場許可情報、制限情報、入場記録および出場記録等の情報を記憶する。また、ＲＦＩＤ用メモリ２０４は、書き込み装置３００、入場ゲート４００および出場ゲート５００にＲＦＩＤ用アンテナ２０１を介して送信する情報として、例えば、後述する完了情報をあらかじめ記憶する。
【００３５】
携帯電話機用ＣＰＵ２０６は、プログラムにしたがって動作し、携帯電話機２００の各部を制御する。携帯電話機用ＣＰＵ２０６は、ＲＦＩＤ用ＣＰＵ２０３を制御し、ＲＦＩＤ用メモリ２０４に記憶された制限情報や出場記録を読み出す処理を実行する機能を有する。また、携帯電話機用ＣＰＵ２０６は、ＲＦＩＤ用メモリ２０４から読み出した制限情報に基づいて、携帯電話機２００の機能の制限を開始する処理を実行する機能や、ＲＦＩＤ用メモリ２０４から読み出した出場記録に基づいて、携帯電話機２００の機能の制限を解除する処理を実行する機能を有する。
【００３６】
なお、図１に示す入場許可情報送信手段２１１および機能制御手段２１２は、携帯電話機２００に搭載されるＲＦＩＤ用ＣＰＵ２０３および携帯電話機用ＣＰＵ２０６が、それらの機能を実現するためのプログラムを実行することによって実現される。
【００３７】
表示装置２０５は、例えば液晶表示装置や有機ＥＬディスプレイ装置等のディスプレイ装置によって実現され、情報を表示する。表示装置２０５は、例えば、待ち受け画面やメニュー画面などを表示する。
【００３８】
携帯電話機用メモリ２０７は、携帯電話機用ＣＰＵ２０６が実行する制御プログラム等の各種のデータを記憶する。
【００３９】
携帯電話機用無線回路２０８は、携帯電話機用アンテナ２０９を介して受信した無線信号を復調する処理や、携帯電話機用ＣＰＵ２０６から出力された信号を変調して携帯電話機用アンテナ２０９を介して送信するための信号に変調する処理を行う。
【００４０】
カメラ２１０は、ＣＣＤ等の撮像素子を含み、被写体を撮像してディジタルデータに変換する処理などの各種の処理を実行する。
【００４１】
書き込み装置３００は、携帯電話機２００に入場許可情報および制限情報を送信して記憶させる装置であって、例えば、ＲＦＩＤリーダライタで実現される。入場許可情報は、制限区域１００への入場を許可されていることを示す情報であって、例えば、有効日、有効時間、有効期限を含む情報である。制限情報は、制限区域１００において制限される携帯電話機の機能を示す情報である。なお、図２に示す例では、書き込み装置３００は、制限区域１００に隣接する警備室１０１に設置されているが、書き込み装置３００の設置場所は警備室１０１に限られない。
【００４２】
図４は、書き込み装置３００の構成例を示すブロック図である。図４に示す書き込み装置３００は、ＲＦＩＤ用アンテナ３０１と、ＲＦＩＤ用無線回路３０２と、表示装置３０３と、ＣＰＵ３０４と、メモリ３０５と、入力装置３０６と、ランプ３０７とを含む。
【００４３】
ＲＦＩＤ用無線回路３０２は、ＲＦＩＤ用アンテナ３０１を介して受信した無線信号を復調する処理や、ＣＰＵ３０４から出力された信号を変調してＲＦＩＤ用アンテナ３０１を介して送信するための信号に変調する処理を行う。
【００４４】
ＣＰＵ３０４は、プログラムにしたがって動作し、書き込み装置３００の各部を制御する。例えば、ＣＰＵ３０４は、書き込み装置３００の管理者等が入力装置３０６を操作することにより入力した入場許可情報および制限情報や、携帯電話機２００からＲＦＩＤ用アンテナ３０１を介して受信した完了情報を、メモリ３０５に記憶させる処理を実行する機能を有する。書き込み装置３００が受信する完了情報は、携帯電話機２００が入場許可情報および制限情報の保存を完了したことを示す情報である。
【００４５】
また、ＣＰＵ３０４は、メモリ３０５に記憶されている入場許可情報および制限情報を読み出して、ＲＦＩＤ用アンテナ３０１を介して携帯電話機２００に送信する処理を実行する機能を有する。
【００４６】
表示装置３０３は、例えば液晶表示装置や有機ＥＬディスプレイ装置等のディスプレイ装置によって実現され、情報を表示する。
【００４７】
メモリ３０５は、各種の情報を記憶する。例えば、メモリ３０５は、書き込み装置３００の管理者等が入力装置３０６を操作することにより入力した入場許可情報および制限情報を記憶する。また、メモリ３０５は、例えば、ＲＦＩＤ用アンテナ３０１を介して受信した情報として、完了情報を記憶する。
【００４８】
入力装置３０６は、情報を入力するための複数のキー等を有し、入力された情報をＣＰＵ３０４に出力する。
【００４９】
ランプ３０７は、携帯電話機２００に入場許可情報および制限情報を記憶させる処理が完了したことを通知するための光を発光する光源であって、例えば、ＬＥＤ等で実現される。
【００５０】
入場ゲート４００は、制限区域１００の入口に設けられ、制限区域１００への入場者が保持する携帯電話機２００から入場許可情報を受信し、受信した入場許可情報に基づいて入場の可否を判断する装置である。入場ゲート４００は、扉４０６を有し、入場可能と判断した場合に扉４０６を開く。携帯電話機２００は、入場ゲート４００との通信が完了すると、記憶している入場許可情報に基づいて、機能の制限を開始する。なお、入場ゲート４００および後述する出場ゲート５００は、図１に示す入退場装置７００に対応する。
【００５１】
図５は、入場ゲート４００の構成例を示すブロック図である。図５に示す入場ゲート４００は、ＲＦＩＤ用アンテナ４０１と、ＲＦＩＤ用無線回路４０２と、表示装置４０３と、ＣＰＵ４０４と、メモリ４０５と、扉４０６と、ランプ４０７と、センサ４０８とを含む。
【００５２】
ＲＦＩＤ用無線回路４０２は、ＲＦＩＤ用アンテナ４０１を介して受信した無線信号を復調する処理や、ＣＰＵ４０４から出力された信号を変調してＲＦＩＤ用アンテナ４０１を介して送信するための信号に変調する処理を行う。
【００５３】
ＣＰＵ４０４は、プログラムにしたがって動作し、入場ゲート４００の各部を制御する。例えば、ＣＰＵ４０４は、携帯電話機２００からＲＦＩＤ用アンテナ４０１を介して受信した入場許可情報および完了情報を、メモリ４０５に記憶させる処理を実行する機能を有する。また、ＣＰＵ４０４は、メモリ４０５に記憶されている入場記録を読み出して、ＲＦＩＤ用アンテナ４０１を介して携帯電話機２００に送信する処理を実行する機能を有する。
【００５４】
入場記録は、携帯電話機２００から受信した入場許可情報に基づいて、入場ゲート４００が携帯電話機２００に送信する情報であって、例えば、受信した入場許可情報に問題がないことを示す情報である。また、入場ゲート４００が受信する完了情報は、携帯電話機２００が入場記録の保存を完了したことを示す情報である。
【００５５】
また、ＣＰＵ４０４は、携帯電話機２００から受信した入場許可情報および完了情報に基づいて、携帯電話機２００が制限区域１００に入場可能か否かを判断する。ＣＰＵ４０４は、例えば、入場可能と判断した場合に、扉４０６を開くとともに、ランプ４０７を緑色に点灯させる。
【００５６】
表示装置４０３は、例えば液晶表示装置や有機ＥＬディスプレイ装置等のディスプレイ装置によって実現され、情報を表示する。
【００５７】
メモリ４０５は、各種の情報を記憶する。例えば、メモリ４０５は、あらかじめ入場記録を記憶する。また、メモリ４０５は、ＲＦＩＤ用アンテナ４０１を介して受信した情報として、入場許可情報および完了情報を記憶する。
【００５８】
扉４０６は、ＣＰＵ４０４が入場可能と判断した場合に開かれ、センサ４０８が入場者が入場ゲート４００を通過したと検知した場合（すなわち、入場後）に閉じられる。
【００５９】
ランプ４０７は、制限区域１００への入場者に対し、例えば、扉４０６が開くこと、すなわち入場可能であることを通知するための光を発光する光源であって、例えば、ＬＥＤ等で実現される。
【００６０】
センサ４０８は、入場者が入場ゲート４００を通過したことを検知する。
【００６１】
出場ゲート５００は、制限区域１００の出口に設けられ、制限区域１００からの出場者が保持する携帯電話機２００に出場記録を送信する。携帯電話機２００は、出場ゲート５００から受信した出場記録に基づいて、機能の制限を解除する。また、携帯電話機２００は、機能の制限を解除したことを示す完了情報を出場ゲート５００に送信する。出場ゲート５００は、扉５０６を有し、携帯電話機２００から受信した完了情報に基づいて、扉５０６を開く。
【００６２】
図６は、出場ゲート５００の構成例を示すブロック図である。図６に示す出場ゲート５００は、ＲＦＩＤ用アンテナ５０１と、ＲＦＩＤ用無線回路５０２と、表示装置５０３と、ＣＰＵ５０４と、メモリ５０５と、扉５０６と、ランプ５０７と、センサ５０８とを含む。
【００６３】
ＲＦＩＤ用無線回路５０２は、ＲＦＩＤ用アンテナ５０１を介して受信した無線信号を復調する処理や、ＣＰＵ５０４から出力された信号を変調してＲＦＩＤ用アンテナ５０１を介して送信するための信号に変調する処理を行う。
【００６４】
ＣＰＵ５０４は、プログラムにしたがって動作し、出場ゲート５００の各部を制御する。例えば、ＣＰＵ５０４は、携帯電話機２００からＲＦＩＤ用アンテナ５０１を介して受信した完了情報を、メモリ５０５に記憶させる処理を実行する機能を有する。また、ＣＰＵ５０４は、メモリ５０５に記憶されている出場記録を読み出して、ＲＦＩＤ用アンテナ５０１を介して携帯電話機２００に送信する処理を実行する機能を有する。
【００６５】
出場記録は、出場ゲート５００が携帯電話機２００に送信する情報であって、例えば、入場者が制限区域１００から出場することを示す情報である。また、出場ゲート５００が受信する完了情報は、携帯電話機２００が機能の制限の解除を完了したことを示す情報である。
【００６６】
また、ＣＰＵ５０４は、携帯電話機２００から受信した完了情報に基づいて、入場者を制限区域１００から出場（退場）させる。例えば、ＣＰＵ５０４は、携帯電話機２００から完了情報を受信すると、扉５０６を開くとともに、ランプ５０７を緑色に点灯させる。
【００６７】
なお、図１に示す入場可否判断手段７０１および入退場制御手段７０２は、入場ゲート４００に搭載されるＣＰＵ４０４および出場ゲート５００に搭載されるＣＰＵ５０４が、それらの機能を実現するためのプログラムを実行することによって実現される。
【００６８】
表示装置５０３は、例えば液晶表示装置や有機ＥＬディスプレイ装置等のディスプレイ装置によって実現され、情報を表示する。
【００６９】
メモリ５０５は、各種の情報を記憶する。例えば、メモリ５０５は、あらかじめ出場記録を記憶する。また、メモリ５０５は、ＲＦＩＤ用アンテナ５０１を介して受信した情報として、完了情報を記憶する。
【００７０】
扉５０６は、携帯電話機２００から完了情報を受信した場合に開かれ、センサ５０８が入場者が出場ゲート５００を通過したと検知した場合（すなわち、退場後）に閉じられる。
【００７１】
ランプ５０７は、制限区域１００への入場者に対し、例えば、扉５０６が開くことを通知するための光を発光する光源であって、例えば、ＬＥＤ等で実現される。
【００７２】
センサ５０８は、入場者が出場ゲート５００を通過したことを検知する。
【００７３】
次に、図面を参照して本実施形態の動作について説明する。
【００７４】
まず、携帯電話機２００に入場許可情報および制限情報を記憶させる処理について説明する。図７は、携帯電話機２００に入場許可情報および制限情報を記憶させる処理の例を示すフローチャートである。
【００７５】
まず、書き込み装置３００に、携帯電話機２００に記憶させる入場許可情報および制限情報を設定する（ステップＳ１０１）。入場許可情報および制限情報は、例えば、制限区域１００および書き込み装置３００の管理者等が入力装置３０６を操作することにより、書き込み装置３００に設定される。
【００７６】
携帯電話機２００のＲＦＩＤ用アンテナ２０１と、書き込み装置３００のＲＦＩＤ用アンテナ３０１とを近付けると（ステップＳ１０２）、書き込み装置３００と携帯電話機２００との間でＲＦＩＤによる通信を開始する（ステップＳ１０３）。
【００７７】
書き込み装置３００は、入場許可情報および制限情報を携帯電話機２００に転送する（ステップＳ１０４）。具体的には、ＣＰＵ３０４が、メモリ３０５に記憶されている入場許可情報および制限情報を読み出して、ＲＦＩＤ用アンテナ３０１を介して携帯電話機２００に送信する。
【００７８】
携帯電話機２００は、入場許可情報および制限情報を受信し、受信した入場許可情報および制限情報をＲＦＩＤ用メモリ２０４に記憶させる（ステップＳ１０５）。具体的には、ＲＦＩＤ用ＣＰＵ２０３が、ＲＦＩＤ用アンテナ２０１を介して受信した入場許可情報および制限情報をＲＦＩＤ用メモリ２０４に記憶させる。
【００７９】
ステップＳ１０５の処理が完了すると、携帯電話機２００は、書き込み装置３００に完了情報を送信する（ステップＳ１０６）。具体的には、ＲＦＩＤ用ＣＰＵ２０３が、ＲＦＩＤ用メモリ２０４に記憶されている完了情報を読み出して、ＲＦＩＤ用アンテナ２０１を介して送信する。
【００８０】
書き込み装置３００は、完了情報を受信すると、ランプ３０７を例えば緑色に点灯させることにより、処理の完了を通知して（ステップＳ１０７）、一連の処理を終了する。具体的には、ＣＰＵ３０４が、携帯電話機２００からＲＦＩＤ用アンテナ３０１を介して完了情報を受信したことに応じて、ランプ３０７を緑色に点灯させる制御を行う。
【００８１】
なお、書き込み装置３００は、携帯電話機２００が有効期限を満たす入場許可情報を記憶している場合には、入場許可情報を書き込まなくてもよい。
【００８２】
次に、入場ゲート４００を通過して制限区域１００に入場する際の処理について説明する。図８は、制限区域１００に入場する際の処理の例を示すフローチャートである。
【００８３】
制限区域１００に入場する際に、携帯電話機２００のＲＦＩＤ用アンテナ２０１と、入場ゲート４００のＲＦＩＤ用アンテナ４０１とを近付けると（ステップＳ２０１）、入場ゲート４００と携帯電話機２００との間でＲＦＩＤによる通信を開始する（ステップＳ２０２）。
【００８４】
携帯電話機２００は、ＲＦＩＤ用メモリ２０４に入場許可情報が記憶されているか否かを判断する（ステップＳ２０３）。具体的には、例えば、ＲＦＩＤ用ＣＰＵ２０３が、携帯電話機用ＣＰＵ２０６の制御に基づいて判断する。
【００８５】
入場許可情報が記憶されていると判断した場合（Ｙｅｓ）、携帯電話機２００は、入場許可情報を入場ゲート４００に送信し、入場ゲート４００は、携帯電話機２００から受信した入場許可情報が有効期限を満たしているか否かを判断する（ステップＳ２０４）。具体的には、携帯電話機２００のＲＦＩＤ用ＣＰＵ２０３が、携帯電話機用ＣＰＵ２０６の制御に基づいてＲＦＩＤ用メモリ２０４に記憶されている入場許可情報を読み出し、ＲＦＩＤ用アンテナ２０１を介して送信する。そして、入場ゲート４００のＣＰＵ４０４が、ＲＦＩＤ用アンテナ４０１を介して受信した入場許可情報をメモリ４０５に記憶させ、例えば、入場許可情報に含まれる有効期限と現在日時とを比較することにより、有効期限を満たしているか否かを判断する。
【００８６】
有効期限を満たしていると判断した場合（Ｙｅｓ）、入場ゲート４００は、入場記録を携帯電話機２００に送信し（ステップＳ２０５）、ステップＳ２０７に移行する。具体的には、ＣＰＵ４０４が、メモリ４０５に記憶されている入場記録を読み出して、ＲＦＩＤ用アンテナ４０１を介して携帯電話機２００に送信する。
【００８７】
一方、ステップＳ２０３において入場許可情報が記憶されていないと判断した場合（Ｎｏ）およびステップＳ２０４において有効期限を満たしていないと判断した場合（Ｎｏ）、入場ゲート４００は、ランプ４０７を例えば赤色に点灯させ、通行不可であることを通知する（ステップＳ２０６）。具体的には、ＣＰＵ４０４が、例えば、携帯電話機２００から入場許可情報が記憶されていない旨の情報を受信したことや、有効期限を満たしていないと判断したことに応じて、ランプ４０７を赤色に点灯させる制御を行う。
【００８８】
ステップＳ２０７において、携帯電話機２００は、入場記録を受信し、受信した入場記録をＲＦＩＤ用メモリ２０４に記憶させる。具体的には、ＲＦＩＤ用ＣＰＵ２０３が、ＲＦＩＤ用アンテナ２０１を介して受信した入場記録をＲＦＩＤ用メモリ２０４に記憶させる。
【００８９】
ステップＳ２０７の処理が完了すると、携帯電話機２００は、入場ゲート４００に完了情報を送信する（ステップＳ２０８）。具体的には、ＲＦＩＤ用ＣＰＵ２０３が、ＲＦＩＤ用メモリ２０４に記憶されている完了情報を読み出して、ＲＦＩＤ用アンテナ２０１を介して送信する。
【００９０】
入場ゲート４００は、完了情報を受信すると、扉４０６を開くとともに、ランプ４０７を例えば緑色に点灯させる（ステップＳ２０９）。具体的には、ＣＰＵ４０４が、携帯電話機２００からＲＦＩＤ用アンテナ４０１を介して完了情報を受信したことに応じて、扉４０６を開き、ランプ４０７を緑色に点灯させる制御を行う。
【００９１】
センサ４０８が入場者が入場ゲート４００を通過したと検知すると、入場ゲート４００は、扉４０６を閉め、ランプ４０７を消灯させる（ステップＳ２１０）。具体的には、ＣＰＵ４０４が、センサ４０８が入場者の通過を検知したことに応じて、扉４０６を閉め、ランプ４０７を消灯させる制御を行う。
【００９２】
携帯電話機２００は、ＲＦＩＤによる通信が完了したこと、例えば、完了情報を送信したことに応じて、ＲＦＩＤ用メモリ２０４が記憶する制限情報を読み出す（ステップＳ２１１）。具体的には、携帯電話機用ＣＰＵ２０６が、ＲＦＩＤ用ＣＰＵ２０３を制御し、ＲＦＩＤ用メモリ２０４に記憶された制限情報を読み出す処理を実行する。
【００９３】
携帯電話機２００は、ＲＦＩＤ通信が終了したことをトリガとして、ＲＦＩＤ用メモリ２０４に記憶された制限情報に基づいて機能の制限を開始し（ステップＳ２１２）、一連の処理を終了する。具体的には、携帯電話機用ＣＰＵ２０６が、ＲＦＩＤ用メモリ２０４から読み出した制限情報に基づいて、携帯電話機２００の機能の制限を開始する処理を実行する。
【００９４】
例えば、制限区域１００において、カメラ機能が制限されている場合、制限情報は、「カメラ起動（カメラ機能の起動）不可」を示す情報を含む。制限情報に基づいて、携帯電話機２００は、携帯電話機２００のユーザがメニュー画面等からカメラ起動を選択しても、カメラ機能を起動せずに、例えば「制限区域の為、カメラの起動は出来ません」等のメッセージを表示装置２０５に表示させる。図９は、制限されている機能が選択された場合の表示の例を示す説明図である。
【００９５】
また、表示装置２０５が待ち受け画面を表示している場合に、「機能制限中」の表示や、制限されている機能の一覧を表示することにより、携帯電話機２００のユーザに機能が制限されていることを示す。図１０は、機能制限中の待ち受け画面の例を示す説明図である。
【００９６】
また、携帯電話機２００の電源を切断している状態で入場ゲート４００を通過する場合、ＲＦＩＤ通信は、入場ゲート４００からの誘導起電力によって発電し動作するため、入場許可情報の送信および入場記録のＲＦＩＤ用メモリ２０４への保存は、問題なく行われる。
【００９７】
制限区域１００への入場後に携帯電話機２００の電源を入れた場合、携帯電話機用ＣＰＵ２０６は、メニュー操作が可能となる前にＲＦＩＤ用メモリ２０４にアクセスし、入場記録と出場記録が記憶されているか否かを判断する。入場記録は記憶されているが出場記録は記憶されていない場合、携帯電話機２００は、制限情報に基づいて携帯電話機２００の機能の制限を開始する。
【００９８】
したがって、携帯電話機２００の電源を切断している状態で入場ゲート４００を通過し、その後携帯電話機２００の電源を入れた場合であっても、問題なく機能の制限を行うことができる。
【００９９】
次に、出場ゲート５００を通過して制限区域１００を退出する際の処理について説明する。図１１は、制限区域１００を退出する際の処理の例を示すフローチャートである。
【０１００】
制限区域１００を退出する際に、携帯電話機２００のＲＦＩＤ用アンテナ２０１と、出場ゲート５００のＲＦＩＤ用アンテナ５０１とを近付けると（ステップＳ３０１）、出場ゲート５００と携帯電話機２００との間でＲＦＩＤによる通信を開始する（ステップＳ３０２）。
【０１０１】
出場ゲート５００は、出場記録を携帯電話機２００に送信する（ステップＳ３０３）。具体的には、ＣＰＵ５０４が、メモリ５０５に記憶されている出場記録を読み出して、ＲＦＩＤ用アンテナ５０１を介して携帯電話機２００に送信する。
【０１０２】
携帯電話機２００は、出場記録を受信し、受信した出場記録をＲＦＩＤ用メモリ２０４に記憶させる（ステップＳ３０４）。具体的には、ＲＦＩＤ用ＣＰＵ２０３が、ＲＦＩＤ用アンテナ２０１を介して受信した出場記録をＲＦＩＤ用メモリ２０４に記憶させる。
【０１０３】
携帯電話機２００は、ＲＦＩＤ用メモリ２０４に記憶された出場記録に基づいて、機能の制限を解除する（ステップＳ３０５）。具体的には、携帯電話機用ＣＰＵ２０６が、ＲＦＩＤ用メモリ２０４から読み出した出場記録に基づいて、携帯電話機２００の機能の制限を解除する処理を実行する。
【０１０４】
ステップＳ３０５の処理が完了すると、携帯電話機２００は、出場ゲート５００に完了情報を送信する（ステップＳ３０６）。具体的には、ＲＦＩＤ用ＣＰＵ２０３が、ＲＦＩＤ用メモリ２０４に記憶されている完了情報を読み出して、ＲＦＩＤ用アンテナ２０１を介して送信する。
【０１０５】
出場ゲート５００は、完了情報を受信すると、扉５０６を開くとともに、ランプ５０７を例えば緑色に点灯させる（ステップＳ３０７）。具体的には、ＣＰＵ５０４が、携帯電話機２００からＲＦＩＤ用アンテナ５０１を介して完了情報を受信したことに応じて、扉５０６を開き、ランプ５０７を緑色に点灯させる制御を行う。
【０１０６】
センサ５０８が入場者が出場ゲート５００を通過したと検知すると、出場ゲート５００は、扉５０６を閉め、ランプ５０７を消灯させて（ステップＳ３０８）、一連の処理を終了する。具体的には、ＣＰＵ５０４が、センサ５０８が入場者の通過を検知したことに応じて、扉５０６を閉め、ランプ５０７を消灯させる制御を行う。
【０１０７】
また、制限区域１００に入場中であっても、携帯電話機２００の機能制限を、一時的に解除できることが望ましい。制限一時解除装置６００は、制限区域１００に入場中の携帯電話機２００の機能制限を、一時的に解除するための装置である。制限一時解除装置６００は、例えば、制限区域１００の内部に設けられる。
【０１０８】
図１２は、制限一時解除装置６００の構成例を示すブロック図である。図１２に示す制限一時解除装置６００は、ＲＦＩＤ用アンテナ６０１と、ＲＦＩＤ用無線回路６０２と、表示装置６０３と、ＣＰＵ６０４と、メモリ６０５と、入力装置６０６とを含む。
【０１０９】
ＲＦＩＤ用無線回路６０２は、ＲＦＩＤ用アンテナ６０１を介して受信した無線信号を復調する処理や、ＣＰＵ６０４から出力された信号を変調してＲＦＩＤ用アンテナ６０１を介して送信するための信号に変調する処理を行う。
【０１１０】
ＣＰＵ６０４は、プログラムにしたがって動作し、制限一時解除装置６００の各部を制御する。例えば、ＣＰＵ６０４は、メモリ６０５に記憶されている解除機能一覧情報を読み出して、表示装置６０３に表示させる処理を実行する機能を有する。解除機能一覧情報は、例えば、制限を一時的に解除することが可能な機能の一覧を示す情報である。
【０１１１】
また、ＣＰＵ６０４は、携帯電話機２００の使用者や制限一時解除装置６００の管理者等が入力装置６０６を操作することにより決定した、制限を一時的に解除する機能を示す情報（以下、制限一時解除情報と表記する。）を、ＲＦＩＤ用アンテナ３０１を介して携帯電話機２００に送信する処理を実行する機能を有する。なお、ＣＰＵ６０４は、制限一時解除情報をメモリ６０５に記憶させ、メモリ６０５に記憶された制限一時解除情報を携帯電話機２００に送信してもよい。
【０１１２】
制限一時解除情報は、所定の機能の起動、所定の機能における処理の実行回数、起動時間等を示す情報である。例えば、所定の機能としてカメラ機能を例に説明すると、カメラ機能におけるカメラ画像（撮影画像）の保存処理を実行する回数を３回までと指定したり、カメラの起動時間を１０分間と指定したりすることができる。制限一時解除情報は、携帯電話機２００の使用者や制限一時解除装置６００の管理者等が自由に設定可能な情報である。
【０１１３】
また、ＣＰＵ６０４は、携帯電話機２００からＲＦＩＤ用アンテナ６０１を介して受信した完了情報を、メモリ６０５に記憶させる処理を実行する機能を有する。制限一時解除装置６００が受信する完了情報は、携帯電話機２００が制限一時解除情報の保存を完了し、携帯電話機２００と制限一時解除装置６００との通信が完了したことを示す情報である。
【０１１４】
表示装置６０３は、例えば液晶表示装置や有機ＥＬディスプレイ装置等のディスプレイ装置によって実現され、解除機能一覧情報を表示する。
【０１１５】
メモリ６０５は、各種の情報を記憶する。例えば、メモリ６０５は、あらかじめ解除機能一覧情報を記憶する。
【０１１６】
入力装置６０６は、情報を入力するための複数のキー等を有し、入力された情報をＣＰＵ６０４に出力する。例えば、携帯電話機２００の使用者等が、入力装置６０６を操作することにより、表示装置６０３に表示された解除機能一覧情報から制限を一時的に解除する機能を選択すると、入力装置６０６は、選択された機能を示す制限一時解除情報をＣＰＵ６０４に出力する。
【０１１７】
次に、携帯電話機２００の機能制限を一時的に解除する処理について説明する。携帯電話機２００のＲＦＩＤ用アンテナ２０１と、制限一時解除装置６００のＲＦＩＤ用アンテナ６０１とを近付けると、制限一時解除装置６００のＣＰＵ６０４は、制限一時解除情報を携帯電話機２００に送信する。
【０１１８】
携帯電話機２００は、制限一時解除情報を受信して、ＲＦＩＤ用メモリ２０４に記憶させる。制限一時解除情報をＲＦＩＤ用メモリ２０４に記憶させた後、携帯電話機２００は、制限一時解除装置６００に保存完了の信号（完了情報）を送信し、携帯電話機２００と制限一時解除装置６００との通信が完了する。
【０１１９】
通信完了後、携帯電話機用ＣＰＵ２０６は、完了情報に基づいて、携帯電話機２００の機能の制限を解除する処理を実行する。
【０１２０】
以上に説明したように、本実施形態によれば、制限区域に入る前に、制限しなければならない機能を手動で確認、設定する必要がなく、余計な手間と時間がかからないという効果がある。また、出場の際に、制限されていた機能が自動的に解除されるため、制限されていた機能を解除し忘れてしまうことを防ぐことができる。
【０１２１】
また、自動的に、各自が持っている携帯電話機の機能が制限されるため、入出場ゲートを管理する側にとって、携帯電話機のチェックが不要となる。
【０１２２】
また、携帯電話機が入場許可情報を記憶し、有効期限や日付指定の設定が可能なため、紙製のチケットの代わりとなる。これにより紙によるチケット配布、発行が不要となる。
【０１２３】
以下、本発明の具体的な実施例を説明する。
【０１２４】
上記の実施形態では、携帯電話機を例にして説明したが、ＲＦＩＤを搭載し録画機能や録音機能を有する機器、ＲＦＩＤを搭載しＷｉｒｅｌｅｓｓ  ＬＡＮやＢｌｕｅｔｏｏｔｈ（登録商標）による接続によって通話・通信を行うことができる機器、または前者および後者混合の機器であってもよい。例えば、ＰＤＡやパーソナルコンピュータ、Ｗｉｒｅｌｅｓｓ  ＬＡＮやＢｌｕｅｔｏｏｔｈによる接続が可能な携帯電話機などであってもよい。
【０１２５】
また、上記の実施形態では、制限区域が部屋である場合を例にして説明したが、建物であってもよい。建物の出入口に本発明による自動機能制御システムを設けることにより、建物全体を制限区域に設定することができる。
【０１２６】
上記の実施形態では、制限される機能がカメラ機能である場合を例にして説明したが、その他の機能であってもよく、例えば、音声通話機能、データ通信機能、電源オン／オフ機能、マナーモード設定機能などであってもよい。なお、制限される機能は、これらの機能に限定されるものではなく、機器が持ち合わせている機能全てが制限される機能の対象となる。
【０１２７】
次に、書き込み装置３００を用いない場合を例にして説明する。
【０１２８】
上記の実施形態では、入場許可情報および制限情報を、書き込み装置３００を用いて携帯電話機２００のＲＦＩＤ用メモリ２０４に保存する場合を例にして説明したが、書き込み装置３００を個別に用意しなくてもよい。例えば、入場許可情報および制限情報をインターネット等の通信ネットワークを介して入手したり、入場ゲート４００自身に制限情報を記憶させてもよい。
【０１２９】
例えば、訪問予定先の会社から事前に、入場許可情報および制限情報をインターネット経由で入手する。また、航空機のチケットをインターネット経由で予約し、チケット情報を入場許可情報としてＲＦＩＤ用メモリ２０４に保存する。
【０１３０】
また、無料で開放されている美術展等において、カメラ使用の禁止やマナーモードの強制設定を行いたい場合がある。この場合、無料で開放しているため、入場許可情報は不要であり、制限情報のみ与えればよい。そこで、入場ゲート４００に制限情報を記憶させ、入場ゲート４００通過の際に、制限情報を携帯電話機２００のＲＦＩＤ用メモリ２０４に記憶させ、その後、入場記録をＲＦＩＤ用メモリ２０４に記憶させることにより、書き込み装置３００は不要となる。
【０１３１】
次に、航空機に搭乗する場合を例にして説明する。
【０１３２】
航空機に搭乗する際には、携帯電話機の電源を切らなければならない。本発明による自動機能制御システムを用いることにより、携帯電話機の電源を確実に切断することができる。搭乗の際に携帯電話機２００を入場ゲート４００のＲＦＩＤ読み取り部（ＲＦＩＤ用アンテナ４０１）にかざすと、携帯電話機２００の電源を切断する旨を示す制限情報がＲＦＩＤ用メモリ２０４に保存される。携帯電話機用ＣＰＵ２０６は、保存された制限情報に基づいて、携帯電話機２００の電源を切断する処理を行う。
【０１３３】
もし、ユーザが、携帯電話機２００の電源が切断された状態から電源を入れると、電波を出さないモードとなり、待受画面上には、「航空機搭乗中は電源をお切り下さい」等のメッセージを表示する。なお、警察や消防等への緊急連絡機能は、一時的に制限解除されることが望ましい。警察や消防等への緊急連絡が必要になった場合には、「１１０」や「１１９」をダイヤルすると、制限は一時的に解除され、携帯電話機は、位置登録を開始し、ダイヤル先に接続する。
【０１３４】
制限の解除は、目的地に到着後、航空機を降りる際に出場ゲート５００を通過することによって解除される。
【０１３５】
また、自動機能制御システムにおける入場許可情報を搭乗チケットとして利用すれば、紙製チケットを発行する手間や時間が不要になり、通信ネットワーク経由でいつでもどこでも搭乗チケットを入手することができる。
【０１３６】
次に、電車に乗る際の自動改札を通る場合や、コンサートホールに入場する場合を例にして説明する。
【０１３７】
ＲＦＩＤに対応した駅の改札を、本発明による自動機能制御システムに対応した携帯電話機で通過する際に、自動的にマナーモードへと移行させることができる。改札を出れば、マナーモードは解除される。しかし、改札に入る前からマナーモード設定をしていた場合には、改札を出た時にマナーモードが解除されては困る。そこで、改札に入る際の着信音設定を保存しておき、改札を出る際には入った時の設定に戻すことが考えられる。
【０１３８】
駅の改札と同様に、コンサートホールでの使用も可能である。本発明による自動機能制御システムの入場許可情報に、入場許可情報の有効日、有効時間帯、有効期限の設定を持ち合わせることで、入場許可情報が紙チケットの代替となる。あらかじめインターネット経由でコンサート等のチケットを購入すると、入場許可情報と一緒にマナーモードに設定するための制限情報がＲＦＩＤ用メモリ２０４に保存される。これらの情報が保存された携帯電話機をコンサートホールの入場ゲートにかざすだけで、チケットの代わりとなり、同時にマナーモードに自動的に設定される。
【０１３９】
次に、所定の区域において、機能を制限するのではなく、機能を起動させる場合を説明する。
【０１４０】
携帯電話機に搭載されたＷｉｒｅｌｅｓｓ  ＬＡＮ機能を使って、カフェや空港に設置されたＷｉｒｅｌｅｓｓ  ＬＡＮのアクセスポイントに接続して通信を行う際に、ＲＦＩＤによって、携帯電話機に搭載されたＷｉｒｅｌｅｓｓ  ＬＡＮ機能が自動的に起動される例を示す。ここで言うカフェや空港とは、いわゆるインターネットカフェとは異なり、パソコンが用意されておらず、Ｗｉｒｅｌｅｓｓ  ＬＡＮのアクセスポイントのみが設置されている店舗等を示す。Ｗｉｒｅｌｅｓｓ  ＬＡＮ経由で接続することにより、携帯電話網を使用するよりも一般に高速で接続することが可能である。
【０１４１】
カフェの場合、まずＷｉｒｅｌｅｓｓ  ＬＡＮを使用するために、レジにて使用料金の支払いを行う。その後、レジに設置された書き込み装置３００を用いて、携帯電話機２００のＲＦＩＤ用メモリ２０４に入場許可情報と制限情報とを書き込んでもらう。ここで言う入場許可情報は、Ｗｉｒｅｌｅｓｓ  ＬＡＮへのアクセス許可情報であり、アクセスポイントに接続するためのＩＰアドレス、有効時間を含む情報である。制限情報は、上記の実施形態では制限される機能を示す情報であるが、ここでは、携帯電話機に内蔵されたＷｉｒｅｌｅｓｓ  ＬＡＮ機能を起動するために使用される情報である。すなわち、制限情報は、起動される機能を示す情報であってもよい。この場合には、制限情報が機能を制限するための情報なのか、または機能を起動するための情報なのかを示すフラグも、同時にＲＦＩＤ用メモリ２０４に書き込まれる。このフラグを元に、書き込まれた制限情報が機能を立ち上げるべきものか、制限するべきものか判断を行う。
【０１４２】
これにより、レジにおいてＷｉｒｅｌｅｓｓ  ＬＡＮを使うための情報を書き込んでもらうだけで、自動的に携帯電話機のＷｉｒｅｌｅｓｓ  ＬＡＮ機能が有効となり、ユーザは手動でＷｉｒｅｌｅｓｓ  ＬＡＮ機能を起動する手間がなくなり、料金支払い後、スムーズにＷｉｒｅｌｅｓｓ  ＬＡＮ経由でのインターネットの接続が可能となる。
【０１４３】
次に、企業等でＷｉｒｅｌｅｓｓ  ＬＡＮを内蔵した携帯電話機を用いて構内電話網を構築している場合に、ＲＦＩＤによってＷｉｒｅｌｅｓｓ  ＬＡＮと通常の携帯電話網を切り替える例を示す。この携帯電話機は、構内（社内）ではＷｉｒｅｌｅｓｓ  ＬＡＮ経由で通話・通信ができ、社外では通常の携帯電話網を使用して通話・通信が可能である。
【０１４４】
このような携帯電話機で社内に入場する場合、入場ゲート通過時に、Ｗｉｒｅｌｅｓｓ  ＬＡＮ起動、携帯電話網制限（オフ）という制限情報がＲＦＩＤ用メモリ２０４に保存される。これによってＷｉｒｅｌｅｓｓ  ＬＡＮ機能が起動され、通常の携帯電話網が制限（オフ）される。逆に社内から出場（退場）する際は、出場ゲート通過時に、Ｗｉｒｅｌｅｓｓ  ＬＡＮ制限（オフ）、携帯電話網起動という制限情報がＲＦＩＤ用メモリ２０４に保存され、Ｗｉｒｅｌｅｓｓ  ＬＡＮ機能がオフとなり、通常の携帯電話網がオンとなる。もちろん、通常の携帯電話網とＷｉｒｅｌｅｓｓ  ＬＡＮとのデュアル待受も可能だが、消費電力の観点からも使わない方はオフにしておきたい。社内・社外の移動が多い人にとっては、入出場の度にモードを切り替えなくて済むというメリットがある。
【０１４５】
なお、上記に示した実施形態では、以下の（１）〜（５）に示すような特徴的構成を備えた自動機能制御システムが示されている。
【０１４６】
（１）ＩＣタグを備えた携帯通信端末（例えば、携帯通信端末（携帯電話機）２００で実現される）と、所定の区域の出入口に設けられている入退場装置（例えば、入退場装置７００、入場ゲート４００および出場ゲート５００で実現される）とを備えた自動機能制御システムであって、入退場装置は、携帯通信端末が所定の区域に入場する際に、入場を許可されていることを示す入場許可情報を携帯通信端末から受信し、受信した入場許可情報に基づいて、携帯通信端末が所定の区域に入場可能か否かを判断する入場可否判断手段（例えば、入場可否判断手段７０１、ＣＰＵ４０４およびＣＰＵ５０４で実現される）と、入場可否判断手段が入場可能と判断した場合に、携帯通信端末を所定の区域に入場させるための制御を行う入退場制御手段（例えば、入退場制御手段７０２、ＣＰＵ４０４およびＣＰＵ５０４で実現される）とを含み、携帯通信端末は、ＩＣタグが記憶する入場許可情報を入退場装置に送信する入場許可情報送信手段（例えば、入場許可情報送信手段２１１、ＲＦＩＤ用ＣＰＵ２０３および携帯電話機用ＣＰＵ２０６で実現される）と、入場可否判断手段が入場可能と判断した場合に、ＩＣタグが記憶する情報であって所定の区域において起動または制限される機能を示す機能制御情報に基づいて、自身の機能を起動または制限する機能制御手段（例えば、機能制御手段２１２、ＲＦＩＤ用ＣＰＵ２０３および携帯電話機用ＣＰＵ２０６で実現される）とを含むことを特徴とする自動機能制御システム。
【０１４７】
（２）入退場装置は、携帯通信端末が所定の区域から退場する際に、退場することを示す退場記録情報を携帯通信端末に送信する退場記録送信手段（例えば、ＣＰＵ５０４で実現される）を含み、機能制御手段は、退場記録送信手段が送信した退場記録情報を受信したことに応じて、機能制御情報に基づいて自身の機能を起動または制限する自動機能制御システム。そのように構成された自動機能制御システムは、自動的に携帯通信端末の機能の制限を解除することができる。
【０１４８】
（３）携帯通信端末に入場許可情報と機能制御情報とを送信する書き込み装置（例えば、書き込み装置３００で実現される）を備えた自動機能制御システム。そのように構成された自動機能制御システムは、あらかじめ携帯通信端末に入場許可情報と機能制御情報とを記憶させることができる。
【０１４９】
（４）書き込み装置は、携帯通信端末と通信ネットワークを介して接続されたサーバ装置である自動機能制御システム。そのように構成された自動機能制御システムは、携帯通信端末が通信ネットワークに接続することにより、あらかじめ携帯通信端末に入場許可情報と機能制御情報とを記憶させることができる。
【０１５０】
（５）機能制限手段が制限した機能を一時的に解除する制限一時解除装置（例えば、制限一時解除装置６００で実現される）を備え、制限一時解除装置は、一時的に制限を解除する機能を決定し、当該機能を示す制限一時解除情報を携帯通信端末に送信する制限解除機能決定手段（例えば、ＣＰＵ６０４で実現される）を含み、機能制限手段は、制限解除機能決定手段が送信した制限一時解除情報に基づいて、機能の制限を解除する自動機能制御システム。そのように構成された自動機能制御システムは、所定の区域に入場中であっても、携帯通信端末の機能制限を一時的に解除できることができる。
【産業上の利用可能性】
【０１５１】
本発明は、所定の区域において、携帯通信端末の機能を自動的に制御する用途に好適に適用される。
【図面の簡単な説明】
【０１５２】
【図１】本発明による自動機能制御システムの最小の構成例を示すブロック図である。
【図２】携帯通信端末の機能を制限する所定の区域（制限区域）の例を示す説明図である。
【図３】携帯電話機の構成例を示すブロック図である。
【図４】書き込み装置の構成例を示すブロック図である。
【図５】入場ゲートの構成例を示すブロック図である。
【図６】出場ゲートの構成例を示すブロック図である。
【図７】携帯電話機に入場許可情報および制限情報を記憶させる処理の例を示すフローチャートである。
【図８】制限区域に入場する際の処理の例を示すフローチャートである。
【図９】制限されている機能が選択された場合の表示の例を示す説明図である。
【図１０】機能制限中の待ち受け画面の例を示す説明図である。
【図１１】制限区域を退出する際の処理の例を示すフローチャートである。
【図１２】制限一時解除装置の構成例を示すブロック図である。
【符号の説明】
【０１５３】
２００  携帯通信端末
２１１  入場許可情報送信手段
２１２  機能制御手段
７００  入退場装置
７０１  入場可否判断手段
７０２  入退場制御手段
【図１】
2009267464.tif 000003
【図２】
2009267464.tif 000004
【図３】
2009267464.tif 000005
【図４】
2009267464.tif 000006
【図５】
2009267464.tif 000007
【図６】
2009267464.tif 000008
【図７】
2009267464.tif 000009
【図８】
2009267464.tif 000010
【図９】
2009267464.tif 000011
【図１０】
2009267464.tif 000012
【図１１】
2009267464.tif 000013
【図１２】
2009267464.tif 000014